(57)【要約】【課題】主線に装飾要素を取り付けてなる主装飾ラインの他に、装飾の幅と華やかさをもたらすことができる副装飾ラインを主装飾ラインの両側に張り出すラインとして形成した吊り下げ装飾具とその製造方法の提供を課題とする。【解決手段】窓際等に吊り下げることで光の反射や透過を伴う装飾を行う吊り下げ装飾具であって、少なくとも、吊り下げ用の錘となる装飾錘３０と、該装飾錘３０から延長して取り付けられることで吊り下げ線を構成する主線１１と、該主線１１に取り付けられる１乃至複数の装飾要素１２とを有し、主線１１と該主線１１に取り付けられた装飾要素１２により構成される主装飾ライン１０に対して、主線１１に対して組み合わされる副線２１と該副線２１に取り付けられた１乃至複数の装飾要素２２とによって、主線１１の両側に張り出すハート形状の副装飾ライン２０を備えた。【選択図】      図１
2011083943.tif 000002
【特許請求の範囲】
【請求項１】
窓際等に吊り下げることで光の反射や透過を伴う装飾を行う吊り下げ装飾具であって、少なくとも、吊り下げ用の錘となる装飾錘と、該装飾錘から延長して取り付けられることで吊り下げ線を構成する主線と、該主線に取り付けられる１乃至複数の装飾要素とを有し、前記主線と該主線に取り付けられた１乃至複数の装飾要素により構成される主装飾ラインに対して、前記主線に対して組み合わされる副線と該副線に取り付けられた１乃至複数の装飾要素とによって、前記主線の両側に張り出すハート形状の副装飾ラインを備えたことを特徴とする吊り下げ装飾具。
【請求項２】
副装飾ラインのハート形状は、主線を軸線として左右対称に形成されていることを特徴とする請求項１に記載の吊り下げ装飾具。
【請求項３】
副装飾ラインのハート形状の左右両側部に翼形状からなる装飾要素を揺動可能に取り付けてあることを特徴とする請求項２に記載の吊り下げ装飾具。
【請求項４】
窓際等に吊り下げることで光の反射や透過を伴う装飾を行う吊り下げ装飾具の製造方法であって、吊り下げ用の装飾錘から延長されて吊り下げ線を構成する主線に対して、弾性屈曲する材料からなる副線を用意し、該副線を左右一対としてその下端を前記主線に沿って下向きに固定する工程と、前記左右一対の副線に対してそれぞれ１乃至複数の装飾要素を左右同長にして取り付ける工程と、前記左右一対の副線の上端を前記主線に沿って下向きに固定する工程と、前記副線が固定される上下固定位置間の直線長さを直径とする半円弧長さよりも前記装飾要素が取り付けられた副線の長さの方が長くなるように、副線の上下固定位置を定める工程とを有することを特徴とする吊り下げ装飾具の製造方法。
【請求項５】
左右一対の副線の下端を主線に固定する工程及び上端を主線に固定する工程においては、それぞれ主線に通された共通の装飾要素に対して副線の下端、上端を挿通した状態で固定することを特徴とする請求項４に記載の吊り下げ装飾具の製造方法。
【発明の詳細な説明】
【技術分野】
【０００１】
本発明は吊り下げ装飾具とその製造方法に関する。
【背景技術】
【０００２】
サンキャッチャーとかレインボウメーカ等と称される吊り下げ装飾具がある。この種の装飾具は窓際等に吊り下げて用いることで、外部の光を反射や透過を伴って室内等に導き、光のオブジェを作り出す。また自らの形状もまた光学的な装飾オブジェを作り出す。また窓際以外の場所に吊り下げて、風水的な意味合いも含めた吊り下げ装飾をなす。
このような吊り下げ装飾具として、従来のサンキャッチャーは、何れも錘から上方に１本の線を延長して吊り下げ用の主線とし、この主線に色々な装飾要素を挿通して装飾ラインを構成している。
また特開２００１−１３０１９７号公報には、糸巻体吊り下げ装飾品として、糸巻体１を吊り糸２に連結するようにしたものが提供されている。
【先行技術文献】
【特許文献】
【０００３】
【特許文献１】特開２００１−１３０１９７号公報
【発明の概要】
【発明が解決しようとする課題】
【０００４】
ところが上記従来のサンキャッチャーは、何れも主線からなる１本のラインにビーズ等の装飾要素を挿通したもので、装飾ラインが単純な直線ラインに形成されていることから、装飾に幅がなく、華やかさに欠ける問題があった。
また上記特許文献１のものは、立体的な糸巻体が装飾要素として取り付けられているものの、その糸巻体は実質的には主たる吊り下げラインに取り付けられた立体的装飾要素の域を出ないものであり、副線を用いた副装飾ラインを主たる装飾ラインとは別に形成するものではない。
【０００５】
そこで本発明は上記従来の吊り下げ装飾具における問題を解消し、主線である吊り下げ線に装飾要素を取り付けてなる主装飾ラインの他に、装飾の幅と華やかさをもたらすことができる副装飾ラインを主装飾ラインの両側に張り出すラインとして形成した吊り下げ装飾具とその製造方法の提供を課題とする。
【課題を解決するための手段】
【０００６】
上記課題を達成するため本発明の吊り下げ装飾具は、窓際等に吊り下げることで光の反射や透過を伴う装飾を行う吊り下げ装飾具であって、少なくとも、吊り下げ用の錘となる装飾錘と、該装飾錘から延長して取り付けられることで吊り下げ線を構成する主線と、該主線に取り付けられる１乃至複数の装飾要素とを有し、前記主線と該主線に取り付けられた複数の装飾要素により構成される主装飾ラインに対して、前記主線に対して組み合わされる副線と該副線に取り付けられた１乃至複数の装飾要素とによって、前記主線の両側に張り出すハート形状の副装飾ラインを備えたことを第１の特徴としている。
また本発明の吊り下げ装飾具は、上記第１の特徴に加えて、副装飾ラインのハート形状は、主線を軸線として左右対称に形成されていることを第２の特徴としている。
また本発明の吊り下げ装飾具は、上記第２の特徴に加えて、副装飾ラインのハート形状の左右両側部に翼形状からなる装飾要素を揺動可能に取り付けてあることを第３の特徴としている。
また本発明の吊り下げ装飾具の製造方法は、窓際等に吊り下げることで光の反射や透過を伴う装飾を行う吊り下げ装飾具の製造方法であって、吊り下げ用の装飾錘から延長されて吊り下げ線を構成する主線に対して、弾性屈曲する材料からなる副線を用意し、該副線を左右一対としてその下端を前記主線に沿って下向きに固定する工程と、前記左右一対の副線に対してそれぞれ１乃至複数の装飾要素を左右同長にして取り付ける工程と、前記左右一対の副線の上端を前記主線に沿って下向きに固定する工程と、前記副線が固定される上下固定位置間の直線長さを直径とする半円弧長さよりも前記装飾要素が取り付けられた副線の長さの方が長くなるように、副線の上下固定位置を定める工程と、を有することを第４の特徴としている。
また本発明の吊り下げ装飾具の製造方法は、上記請求項４に記載の特徴に加えて、左右一対の副線の下端を主線に固定する工程及び上端を主線に固定する工程においては、それぞれ主線に通された共通の装飾要素に対して副線の下端、上端を挿通した状態で固定することを第５の特徴としている。
【発明の効果】
【０００７】
請求項１に記載の吊り下げ装飾具によれば、少なくとも、吊り下げ用の錘となる装飾錘と、該装飾錘から延長して取り付けられることで吊り下げ線を構成する主線と、該主線に取り付けられる１乃至複数の装飾要素とを有し、前記主線と該主線に取り付けられた１乃至複数の装飾要素により構成される主装飾ラインに対して、前記主線に対して組み合わされる副線と該副線に取り付けられた１乃至複数の装飾要素とによって、前記主線の両側に張り出すハート形状の副装飾ラインを備えたことにより、
吊り下げ線である主線に構成された主装飾ラインの他に、副線による副装飾ラインを備えた吊り下げ装飾具を提供することができ、吊り下げ装飾に装飾の幅と華やかさをもたらすことができる。
また副装飾ラインを主線の両側に張り出すハート形状に構成しているので、主線に構成される装飾ラインと、主線から両側に張り出した副装飾ラインのハート形状とによって顕著で非常に特徴的なハートデザインを備えた吊り下げ装飾具を提供することができる。
またハート形状はライン状であるので、副装飾ライン（ハート形状の外形ライン）と主装飾ラインとの間が空隙となって、主装飾ラインの一部を決して遮ることなく、より光学的な透明感のある、また前記空隙を介して背景が視覚される遠近間のある吊り下げ装飾具を提供することができる。
【０００８】
また請求項２に記載の吊り下げ装飾具によれば、上記請求項１に記載の構成による作用効果に加えて、副装飾ラインのハート形状は、主線を軸線として左右対称に形成されているので、
垂下する主線に沿った主装飾ラインに対して、該主装飾ラインをハートの中心軸線としたシンメトリーに優れた副装飾ラインを現出させることができる。主線がハート形状の中心を通っているので、ハート形状の中心に中心球等の特別な装飾要素を配することが容易にでき、より良好な装飾を施すことができる。
また請求項３に記載の吊り下げ装飾具によれば、上記請求項２に記載の構成による作用効果に加えて、副装飾ラインのハート形状の左右両側部に翼形状からなる装飾要素を揺動可能に取り付けてあるので、
翼を持つエンジェル形ハートを現出させた装飾性の高い副装飾ラインを現出させることができると共に、その翼が空気流等によりふわふわとスイングすることで、より動きのある、変化に富んだ吊り下げ装飾具を提供することができる。
【０００９】
請求項４に記載の吊り下げ装飾具の製造方法によれば、弾性屈曲する材料からなる副線を用いることで、弛みのないピンと張った副装飾ラインを得ることができる。
そして主線に対して一対の副線の下端及び上端を主線に沿って下向きに固定することで、その固定された点（固定点）から左右に分岐する一対の副線の分岐角度を１８０度未満することができ、ハート形状の中央部上下の角度条件を満たすことが可能となる。
更に上下固定位置間の直線長さを直径とする半円弧長さよりも装飾要素が取り付けられた副線の長さの方が長くなるように副線の上下固定位置を定めることで、ハート形状になることが可能な副線の長さ条件を満たすことができる。
よって左右一対の副線を用いた副装飾ラインを、主線を中心軸線として左右に張り出すハート形状に正確に現出させた、装飾性に富んだ吊り下げ装飾具を製造することができる。
請求項５に記載の吊り下げ装飾具の製造方法によれば、上記請求項４に記載の構成による作用効果に加えて、左右一対の副線の下端を主線に固定する工程及び上端を主線に固定する工程においては、それぞれ主線に通された共通の装飾要素に対して副線の下端、上端を挿通した状態で固定するようにしたので、
副装飾ライン（ハート形状）の上下端が共通の装飾要素によって主装飾ラインと一致することになり、正確なハート形状を得ることができる。
【図面の簡単な説明】
【００１０】
【図１】図１は本発明に係る吊り下げ装飾具の実施形態を示す全体図である。
【図２】図２は本発明に係る吊り下げ装飾具の製造方法を説明する図である。
【図３】図３は本発明に係る吊り下げ装飾具の製造方法を説明する図である。
【図４】図４は本発明に係る吊り下げ装飾具の製造方法を説明する図である。
【図５】図５は本発明に係る吊り下げ装飾具の製造方法を説明する図である。
【図６】図６は本発明に係る吊り下げ装飾具の製造方法を説明する図である。
【発明を実施するための形態】
【００１１】
以下の図面を参照して、本発明の実施形態に係る吊り下げ装飾具及びその製造方法について説明する。
先ず図１を参照して、この吊り下げ装飾具はサンキャッチャーと称されるもので、窓際やその他の場所に吊るして使用することができるものである。
本実施形態に係る吊り下げ装飾具は、主装飾ライン１０と副装飾ライン２０とを備えている。
【００１２】
前記主装飾ライン１０は、主線１１と、該主線１１に取り付けられる１乃至複数の装飾要素１２を備えている。また装飾要素１２の１つとして吊り下げ用の錘となる装飾錘３０を備えている。
前記主線１１は吊り下げ線としての役割を果たすと共に、前記主装飾ライン１０の軸線となるものである。この主線１１はテグス（フィラメント）、金属線、細いチェーン、その他の材料からなる線状体で構成することができる。本実施形態での主線１１は、人造材料や天然材料からなるテグスを用いている。
主線１１の下端に取り付け金具１２ａを介して装飾錘３０を取り付けている。
また主線１１の上端に窓際等への吊り下げ金具１２ｂを取り付けている。
なお本実施形態では、主線１１は１本線としているが、２本線や複数線を束ねたようなものであってもよい。
【００１３】
前記装飾要素１２は主装飾ライン１０の装飾をなす要素である。この装飾要素１２は、ガラス状物、プラスチック、貴金属、金属、水晶、陶器、その他の材料を用いた透明体、半透明体、不透明体で構成することができる。
また装飾要素１２は、主線１１に挿通して取り付けることができるビーズ等の挿通孔のあるものを用いるが、挿通することなく取り付けるものも含むものとする。また装飾要素１２の形状は球形のものの他、種々の形状のものを用いることができる。
また前記取り付け金具１２ａや吊り下げ金具１２ｂも装飾要素１２の１つと言うことができる。
主線１１に対する装飾要素１２の取り付け配置は、図１に示すようなデザインの他、種々の種類、種々の大きさ、形、色のものを組み合わせて用いることができる。
また主線１１には、装飾具１２や後述する副装飾ライン２０の副線２１をその位置に固定する固定具としてのカシメ体１２ｈを取り付けるが、このカシメ体１２ｈも装飾要素１２の１つであると言うことができる。
【００１４】
前記副装飾ライン２０は、副線２１と、該副線２１に取り付けられる１乃至複数の装飾要素２２を備えている。
本実施形態では副装飾ライン２０（２０ａ、２０ｂ）を主線１１の上下の２ヶ所に設けている。
副装飾ライン２０はハート形状に構成している。このハート形状は主線１１の両側に張り出すハート形状としている。更に言えば、副装飾ライン２０は主線１１を軸線として左右対称のハート形状に構成している。
【００１５】
前記副線２１は、曲げると弾性を持って緊張した湾曲状態となり、鋭角に折れ曲がってしまうことのない材料や、いわゆる「ふにゃふにゃ」に曲がってしまうことのない材料、即ち弾性屈曲性を有する材料線を用いる。弾性屈曲性を持つ材料として、本実施形態では人造や天然のテグスを用いている。弾性屈曲性のある副線２１を用いることで、形状保持性があり、張りがある湾曲線からなる副装飾ライン２０を作成することができる。
また前記副線２１として、形状記憶材料からなる線を用いることができる。形状記憶材料からなる線を用いることによって、副装飾ライン２０をハート形状に容易、確実に保持することができる。なお形状記憶材料からなる線としては、形状記憶合金等の形状記憶材料の線そのものであってもよいし、またテグスの芯に形状記憶材料からなる線を挿通させたもの、或いはテグスと形状記憶材料からなる線を一緒に用いたものであってもよい。
【００１６】
前記副線２１（２１ａ、２１ｂ）は、主線１１に対して左右に一対で組み合わされる。各副線２１（２１ａ、２１ｂ）に装飾要素２２を挿通等して取り付けることで、副装飾ライン２０を得ることができる。装飾要素２２は、主線１１に取り付ける既述の装飾要素１２と同様に、種々の材料、形状、大きさ、色の透明体、半透明体、非透明体を用いることができる。
【００１７】
上下２つの副装飾ライン２０（２０ａ、２０ｂ）のうち下にある副装飾ライン２０ａに言及すると、この下にある副装飾ライン２０ａにおいては、ハート形状の左右両側部に翼形状からなる装飾要素２２ａ、２２ａを遥動可能に取り付けている。具体的には、挿通穴を有する軽量の翼形状からなる装飾要素２２ａ、２２ａを副線２１（２１ａ、２１ｂ）に挿通し、同じく挿通される他の装飾要素２２によって翼形状からなる装飾要素２２ａ、２２ａの位置が丁度両側に一番張り出したに位置になるように位置決めされている。翼形状からなる装飾要素２２ａ、２２ａの揺動は、その翼形状からなる装飾要素２２ａ、２２ａの上下に挿通される装飾要素２２との接触による締め付け程度をやや弱く調整することにより、風やその他の空気の流れ等により、副線２１を回転軸として翼形状からなる装飾要素２２ａ、２２ａが容易に左右に揺動されるようにすることによって行われる。
【００１８】
副装飾ライン２０のハート形状は、既述したように主線１１を軸線として左右対称のハート形状として構成している。即ち、ハートを形成する左右の副装飾ライン２０の長さ（副線２１ａ、２１ｂの長さ）を一致させており、且つ左右の副線２１ａ、２１ｂに取り付けられる各装飾要素の種類、大きさ、形、色等を左右で一致させている。
更に左右対称が正確になされたハート形状とするため、左右の装飾ライン２０（２０ａ、２０ｂ）がその中央上下の位置で、軸線をなす主線１１に挿通された共通の装飾要素１２ｃ、１２ｄ、１２ｅ、１２ｆを始点乃至終点となるように構成している。
また本実施形態では、副装飾ライン２０が構成するハート形状の中心付近にハートの中心を印象付ける中心球１２ｇを配置している。この中心球１２ｇの位置決めは、主線１１に挿通された中心球１２ｇの所定位置の直下の位置にカシメ体１２ｈを配して、主線１１にカシメることで行うことができる。この場合は、中心球１２ｇは吊り下げ状態で、それ以上下方にはに移動できない状態で保持される。勿論、中心球１２ｇの上下の位置にカシメ体１２ｈを設けて、中心球１２ｇが上下に動かないように位置決めを行ってもよい。
【００１９】
なお副装飾ライン２０のハート形状の直上位置に、主線１１に無限大を意味する左右一対のリングからなるダブルリング状副装飾ライン４０を、無限リボンとして設けることができる。この無限リボンを示すダブルリング状副装飾ライン４０をハート形状の副装飾ライン２０と組み合わせることにより、強いメッセージを送る効果がある。
【００２０】
次に図２〜図６を参照して、本発明の実施形態に係る吊り下げ装飾具の製造方法を図１に示す吊り下げ装飾具の製造に従って説明する。
先ず図２（Ａ）を参照して、主線１１の下端を取り付け金具１２ａを介して装飾錘３０に取り付け、主線１１を装飾錘３０から延長された吊り下げ線として構成する。この主線１１は、１本の線を用意して、その線の途中位置を取り付け金具１２ａに結び付けて折り返した２本線からなる主線１１としてもよい。
一方、弾性屈曲する材料としてテグスを副線２１として用意する。
そして図２（Ｂ）に示すように、副線２１を前記取り付け金具１２ａに結んで固定し、主線１１の両側に左右一対の副線２１ａ、２１ｂとしている。
勿論、副線２１は２本を用意して、それぞれを取り付け金具１２ａに結んで固定し、左右一対の副線２１、２１に構成してもよい。また１本の線を用意して、その途中を取り付け金具１２ａに結び付けて折り返すことで、左右一対の副線２１、２１に構成してもよい。
【００２１】
次に図３（Ａ）を参照して、共通の装飾要素１２ｃに主線１１、及び左右一対の副線２１ａ、２１ｂを挿通し、主線１１上の共通の装飾要素１２ｃから左右に副線２１ａ、２１ｂが分かれるようにする。即ち、別の言い方をすれば、副線２１ａ、２１ｂの下端を共通の装飾要素１２ｃに挿通した状態で金具１２ａに固定する。
次に図３（Ｂ）を参照して、それぞれの副線２１ａ、２１ｂに装飾要素２２を挿通等して次々と取り付けて行く。その途中の所定位置、即ち、ハート形状の膨出した両側部に相当する位置に翼形状からなる装飾要素２２ａを挿通して取り付ける。
副線２１ａ、２１ｂのそれぞれにハート形状の左右半長（副装飾ライン２０の左右半長）となる長さについて装飾要素２２を取り付けた後、各副線２１ａ、２１ｂの上端（先端）を、主線１１に挿通された共通の装飾要素１２ｄに、上から下向きに挿通させ、更に主線１１に挿通されたカシメ体１２ｈに上から下向きに挿通させる。
そして前記共通の装飾要素１２ｄより上方（図面上）にある主線１１を上方（図面上）に引っ張ると共に、前記共通の装飾要素１２ｄから下向き（図面上）に導出された一対の副線２１ａ、２１ｂの端を下方（図面上）に引っ張ることで、主線１１を直伸状態に緊張させると共に、副線２１に取り付けた装飾要素２２の先端を前記共通の装飾要素１２ｄに当接させる。
と同時に、副線２１が固定される上下の固定位置間、即ち上下の共通の装飾要素１２ｃ、１２ｄ間の直線長さ（装飾要素１２ｃ、１２ｄ間の主線１１の長さ）を直径とする半円弧長さに対して、装飾要素２２が取り付けられた副線２１の長さ（厳密には共通の装飾要素１２ｃ、１２ｄ間の副線２１ａ、２１ｂ長さ）の方が長くなるように調整してハート形状を形作り、その共通の装飾要素１２ｄの位置において、カシメ体１２ｈで主線１１と副線２１ａ、２１ｂとを一体にカシメて固定する（図４（Ａ））。余った副線２１ａ、２１ｂはカシメ体１２ｈの下でカットする。
なお前記共通の装飾要素１２ｄは、ハート形状の中心付近にあり、中心球１２ｇとしても存在する。
【００２２】
下の副装飾ライン２０ａのハート形状が完成されると、更に主線１１に装飾要素１２を挿通等して取り付けてゆき、主装飾ライン１０を構成してゆく（図４（Ｂ））。
【００２３】
次に図５を参照して、上の副装飾ライン２０ｂの造り方を説明する。この上の副装飾ライン２０ｂのハート形状の作製も、既述した下の副装飾ライン２０ａの作製と同様である。しかし、この上の副装飾ライン２０ａの場合は、先ず左右一対の副線２１ａ、２１ｂの下端を主線１１に挿通された共通の装飾要素１２ｅに通してカシメ体１２ｈで主線１１と共に固定する。別の言い方をすれば、左右一対の副線２１ａ、２１ｂの下端をカシメ体１２ｈで固定し、次に共通の装飾要素１２ｅに挿通して左右に分岐させる。
そして副線２１ａ、２１ｂに、それぞれ左右対称に装飾要素２２を挿入等により取り付けてゆく。
所定の長さ（ハート形状の左右半部の長さ）に亘って装飾要素２２を取り付けた後、副線２１ａ、２１ｂの上端（先端）を主線１１に取り付けた共通の装飾要素１２ｆに挿通し、更にカシメ体１２ｈに挿通する。勿論、その前に中心球１２ｇとカシメ体１２ｈを主線１１に挿通して、ハート形状の中心となる位置に固定しておく。
そして共通の装飾要素１２ｆより上（図面上）にある主線１１を上に引っ張り、カシメ体１２ｈから下に出た副線２１ａ、２１ｂを下方（図面上）に引っ張って、ハート形状を形成する。ハート形状の形は、共通の装飾要素１２ｅ、１２ｆ間、即ち上下の固定位置間の直線長さと、装飾要素２２を取り付けた副線２１ａ、２１ｂの長さによって決まる。
なお図５（Ｂ）に示すように、副線２１ａ、２１ｂの下端は、中心球１２ｇを挿通した後にカシメ体１２ｈで固定してもよい。以上によって、上の副装飾ライン２０ｂのハート形状が完成する。
上の副装飾ライン２０ｂのハート形状は下の副装飾ライン２０ａのハート形状と同じである必要はない。また翼形状からなる装飾要素２２ａを取り付けなくてもよい。
【００２４】
図６を参照して、上の副装飾ライン２０ｂが完成すると、更に主線１１に多少の装飾要素１２を取り付けた後、無限大リボンであるダブルリング状副装飾ライン４０を前記ハート形状の副装飾ライン２０ｂの直ぐ上に位置するように形成する。
このダブルリング状副装飾ライン４０の形成は、主線１１にカシメ体１２を挿通させると共に、左右一対の副線４１（４１ａ、４１ｂ）をカシメ体１２に通す。そしてこの各副線４１ａ、４１ｂにそれぞれビーズ状の装飾要素４２を同じ長さに挿通した後、再び先端をカシメ体１２に通し、これによって左右に同径のリング状の装飾ラインを形成し、前記カシメ体１２で副線４１を主線１１と共にカシメて固定し、全体としてダブルリング状副装飾ライン４０とする。
【００２５】
なお上記において、主線１１、副線２１、４１、装飾要素１２、２２、４２等の固定は、カシメ体１２ｈを用いてカシメることによって固定をなしている。しかし固定の仕方は必ずしもカシメ体１２ｈを用いる必要はなく、速乾性の接着材等の他の方法を用いることができる。
【産業上の利用可能性】
【００２６】
本発明の吊り下げ装飾具は、家屋の窓際やその他の場所に吊り下げて使用する装飾品として産業上の利用性がある。
【符号の説明】
【００２７】
１０            主装飾ライン
１１            主線
１２            装飾要素
１２ａ          取り付け金具
１２ｂ          吊り下げ金具
１２ｃ〜１２ｆ  共通の装飾要素
１２ｇ          中心球
１２ｈ          カシメ体
２０            副装飾ライン
２０ａ          下の副装飾ライン
２０ｂ          上の副装飾ライン
２１            副線
２１ａ          左の副線
２１ｂ          右の副線
２２            装飾要素
２２ａ          翼形状からなる装飾要素
３０            装飾錘
４０            ダブルリング状副装飾ライン
４１            副線
４１ａ          左の副線
４１ｂ          右の副線
４２            装飾要素
【図１】
2011083943.tif 000003
【図２】
2011083943.tif 000004
【図３】
2011083943.tif 000005
【図４】
2011083943.tif 000006
【図５】
2011083943.tif 000007
【図６】
2011083943.tif 000008
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
窓際等に吊り下げることで光の反射や透過を伴う装飾を行う吊り下げ装飾具であって、吊り下げ用の錘となる装飾錘３０と、該装飾錘３０を下端として上方に延長されて設けられた主装飾ライン１０と、該主装飾ライン１０の途中から両側に張り出して設けられたハート形状の副装飾ライン２０とを備え、前記主装飾ライン１０は、前記装飾錘３０を下端として上方へ延長されると共に１乃至複数の装飾要素１２を挿通させた主線１１を吊り下げ線として備え、前記ハート形状の副装飾ライン２０は、１乃至複数の装飾要素２２を挿通させた一対の弾性屈曲性のある副線２１、２１を、該副線２１、２１の各下端を主線１１に沿わせて下向きに一体固定すると共に副線２１、２１の各上端も主線１１に沿わせて下向きに一体固定することで、主線１１を軸線として左右対称に膨出してなるハート形状に構成してあることを特徴とする吊り下げ装飾具。
【請求項２】
請求項１に記載の吊り下げ装飾具の製造方法であって、吊り下げ用の装飾錘３０から延長されて吊り下げ線を構成する主線１１に対して、弾性屈曲性のある材料からなる副線２１を用意し、該副線２１を左右一対としてその下端を前記主線１１に沿って下向きに固定する工程と、前記左右一対の副線２１、２１に対してそれぞれ１乃至複数の装飾要素２２を左右同長にして挿通する工程と、前記左右一対の副線２１、２１の上端を前記主線１１に沿って下向きに固定する工程と、前記副線２１が固定される上下固定位置間の直線長さを直径とする半円弧長さよりも前記装飾要素２２が挿通された副線２１の長さの方が長くなるように、副線２１の上下固定位置を定める工程とを有することを特徴とする吊り下げ装飾具の製造方法。
【請求項３】
左右一対の副線２１、２１の下端を主線１１に固定する工程及び上端を主線１１に固定する工程においては、それぞれ主線１１に挿通された共通の装飾要素１２に対して副線２１の下端、上端を挿通した状態で固定することを特徴とする請求項２に記載の吊り下げ装飾具の製造方法。
【手続補正２】
【補正対象書類名】明細書
【補正対象項目名】０００６
【補正方法】変更
【補正の内容】
【０００６】
上記課題を達成するため本発明の吊り下げ装飾具は、窓際等に吊り下げることで光の反射や透過を伴う装飾を行う吊り下げ装飾具であって、吊り下げ用の錘となる装飾錘３０と、該装飾錘３０を下端として上方に延長されて設けられた主装飾ライン１０と、該主装飾ライン１０の途中から両側に張り出して設けられたハート形状の副装飾ライン２０とを備え、前記主装飾ライン１０は、前記装飾錘３０を下端として上方へ延長されると共に１乃至複数の装飾要素１２を挿通させた主線１１を吊り下げ線として備え、前記ハート形状の副装飾ライン２０は、１乃至複数の装飾要素２２を挿通させた一対の弾性屈曲性のある副線２１、２１を、該副線２１、２１の各下端を主線１１に沿わせて下向きに一体固定すると共に副線２１、２１の各上端も主線１１に沿わせて下向きに一体固定することで、主線１１を軸線として左右対称に膨出してなるハート形状に構成してあることを第１の特徴としている。
また本発明の吊り下げ装飾具の製造方法は、上記第１の特徴に記載の吊り下げ装飾具の製造方法であって、吊り下げ用の装飾錘３０から延長されて吊り下げ線を構成する主線１１に対して、弾性屈曲性のある材料からなる副線２１を用意し、該副線２１を左右一対としてその下端を前記主線１１に沿って下向きに固定する工程と、前記左右一対の副線２１、２１に対してそれぞれ１乃至複数の装飾要素２２を左右同長にして挿通する工程と、前記左右一対の副線２１、２１の上端を前記主線１１に沿って下向きに固定する工程と、前記副線２１が固定される上下固定位置間の直線長さを直径とする半円弧長さよりも前記装飾要素２２が挿通された副線２１の長さの方が長くなるように、副線２１の上下固定位置を定める工程とを有することを第２の特徴としている。
また本発明の吊り下げ装飾具の製造方法は、上記第２の特徴に加えて、左右一対の副線２１、２１の下端を主線１１に固定する工程及び上端を主線１１に固定する工程においては、それぞれ主線１１に挿通された共通の装飾要素１２に対して副線２１の下端、上端を挿通した状態で固定することを第３の特徴としている。
【手続補正３】
【補正対象書類名】明細書
【補正対象項目名】０００７
【補正方法】変更
【補正の内容】
【０００７】
請求項１に記載の吊り下げ装飾具によれば、吊り下げ用の錘となる装飾錘３０と、該装飾錘３０を下端として上方に延長されて設けられた主装飾ライン１０と、該主装飾ライン１０の途中から両側に張り出して設けられたハート形状の副装飾ライン２０とを備え、前記主装飾ライン１０は、前記装飾錘３０を下端として上方へ延長されると共に１乃至複数の装飾要素１２を挿通させた主線１１を吊り下げ線として備え、前記ハート形状の副装飾ライン２０は、１乃至複数の装飾要素２２を挿通させた一対の弾性屈曲性のある副線２１、２１を、該副線２１、２１の各下端を主線１１に沿わせて下向きに一体固定すると共に副線２１、２１の各上端も主線１１に沿わせて下向きに一体固定することで、主線１１を軸線１１として左右対称に膨出してなるハート形状に構成してあるので、
装飾錘３０を下端として上方に延長された主装飾ライン１０の他に、副装飾ライン２０を備えた吊り下げ装飾具を提供することができ、吊り下げ装飾に装飾の幅と華やかさをもたらすことができる。
また副装飾ライン２０を主装飾ライン１０の途中から両側に張り出して設けられたハート形状に構成しているので、主線１１に構成される装飾ライン１０と、主線１１から両側に張り出した副装飾ライン２０のハート形状とによって顕著で非常に特徴的なハートデザインを備えた吊り下げ装飾具を提供することができる。
またハート形状はライン状であるので、副装飾ライン（ハート形状の外形ライン）２０と主装飾ライン１０との間が空隙となって、主装飾ライン１０の一部を決して遮ることなく、より光学的な透明感のある、また前記空隙を介して背景が視覚される遠近間のある吊り下げ装飾具を提供することができる。
【手続補正４】
【補正対象書類名】明細書
【補正対象項目名】０００８
【補正方法】変更
【補正の内容】
【０００８】
また請求項１に記載の吊り下げ装飾具によれば、副装飾ライン２０のハート形状は、主線１１を軸線として左右対称に形成されることになるので、
垂下する主線１１に沿った主装飾ライン１０に対して、該主装飾ライン１０をハートの中心軸線としたシンメトリーに優れた副装飾ライン２０を現出させることができる。主線１１がハート形状の中心を通っているので、ハート形状の中心に中心球等の特別な装飾要素を配することが容易にでき、より良好な装飾を施すことができる。
また請求項１に記載の吊り下げ装飾具によれば、前記ハート形状の副装飾ライン２０は、１乃至複数の装飾要素２２を挿通させた一対の弾性屈曲性のある副線２１、２１を、該副線２１、２１の各下端を主線１１に沿わせて下向きに一体固定すると共に副線２１、２１の各上端も主線１１に沿わせて下向きに一体固定することで、主線１１を軸線として左右対称に膨出してなるハート形状に構成してあるので、
主線１１とその両側に膨出する一対の副線２１、２１とを、副線の上下２箇所で確実に結合一体化することができ、安定した綺麗な吊り下げ装飾具を提供することができる。また副装飾ライン２０のハート形状を、一対の弾性屈曲性のある副線２１、２１により確実にハート形状に安定させることができると共に、弾性屈曲性のあるハート形状にすることができる。
【手続補正５】
【補正対象書類名】明細書
【補正対象項目名】０００９
【補正方法】変更
【補正の内容】
【０００９】
請求項２に記載の吊り下げ装飾具の製造方法によれば、弾性屈曲する材料からなる副線２１を用いることで、弛みのないピンと張った副装飾ライン２０を得ることができる。
そして主線１１に対して一対の副線２１、２１の下端及び上端を主線１１に沿って下向きに固定することで、その固定された点（固定点）から左右に分岐する一対の副線２１、２１の分岐角度を１８０度未満とすることができ、ハート形状の中央部上下の角度条件を満たすことが可能となる。
更に上下固定位置間の直線長さを直径とする半円弧長さよりも装飾要素２２が取り付けられた副線２１の長さの方が長くなるように副線２１の上下固定位置を定めることで、ハート形状になることが可能な副線２１の長さ条件を満たすことができる。
よって左右一対の副線２１、２１を用いた副装飾ライン２０を、主線１１を中心軸線として左右に張り出すハート形状に正確に現出させた、装飾性に富んだ吊り下げ装飾具を製造することができる。
請求項３に記載の吊り下げ装飾具の製造方法によれば、上記請求項２に記載の構成による作用効果に加えて、左右一対の副線２１、２１の下端を主線１１に固定する工程及び上端を主線１１に固定する工程においては、それぞれ主線１１に通された共通の装飾要素１２に対して副線２１の下端、上端を挿通した状態で固定するようにしたので、
副装飾ライン（ハート形状）２０の上下端が共通の装飾要素１２によって主装飾ライン１０と一致することになり、正確なハート形状を得ることができる。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
窓際等に吊り下げることで光の反射や透過を伴う装飾を行う吊り下げ装飾具であって、吊り下げ用の錘となる装飾錘３０と、該装飾錘３０を下端として上方に延長されて設けられた主装飾ライン１０と、該主装飾ライン１０の途中から両側に張り出して設けられたハート形状の副装飾ライン２０とを備え、前記主装飾ライン１０は、前記装飾錘３０を下端として上方へ延長されると共に１乃至複数の装飾要素１２を挿通させた主線１１を吊り下げ線として備え、前記ハート形状の副装飾ライン２０は、１乃至複数の装飾要素２２を挿通させた一対の弾性屈曲性のある副線２１、２１を、該副線２１、２１の各下端を主線１１に沿わせて下向きに固定すると共に副線２１、２１の各上端も主線１１に沿わせて下向きに固定することで、主線１１を軸線として左右対称に膨出してなるハート形状に構成してあることを特徴とする吊り下げ装飾具。
【請求項２】
請求項１に記載の吊り下げ装飾具の製造方法であって、吊り下げ用の装飾錘３０から延長されて吊り下げ線を構成する主線１１に対して、弾性屈曲性のある材料からなる副線２１を用意し、該副線２１を左右一対としてその下端を前記主線１１に沿って下向きに固定する工程と、前記左右一対の副線２１、２１に対してそれぞれ１乃至複数の装飾要素２２を左右同長にして挿通する工程と、前記左右一対の副線２１、２１の上端を前記主線１１に沿って下向きに固定する工程と、前記副線２１が固定される上下固定位置間の直線長さを直径とする半円弧長さよりも前記装飾要素２２が挿通された副線２１の長さの方が長くなるように、副線２１の上下固定位置を定める工程とを有することを特徴とする吊り下げ装飾具の製造方法。
【請求項３】
左右一対の副線２１、２１の下端を主線１１に固定する工程及び上端を主線１１に固定する工程においては、それぞれ主線１１に挿通された共通の装飾要素１２に対して副線２１の下端、上端を挿通した状態で固定することを特徴とする請求項２に記載の吊り下げ装飾具の製造方法。
【手続補正２】
【補正対象書類名】明細書
【補正対象項目名】０００６
【補正方法】変更
【補正の内容】
【０００６】
上記課題を達成するため本発明の吊り下げ装飾具は、窓際等に吊り下げることで光の反射や透過を伴う装飾を行う吊り下げ装飾具であって、吊り下げ用の錘となる装飾錘３０と、該装飾錘３０を下端として上方に延長されて設けられた主装飾ライン１０と、該主装飾ライン１０の途中から両側に張り出して設けられたハート形状の副装飾ライン２０とを備え、前記主装飾ライン１０は、前記装飾錘３０を下端として上方へ延長されると共に１乃至複数の装飾要素１２を挿通させた主線１１を吊り下げ線として備え、前記ハート形状の副装飾ライン２０は、１乃至複数の装飾要素２２を挿通させた一対の弾性屈曲性のある副線２１、２１を、該副線２１、２１の各下端を主線１１に沿わせて下向きに固定すると共に副線２１、２１の各上端も主線１１に沿わせて下向きに固定することで、主線１１を軸線として左右対称に膨出してなるハート形状に構成してあることを第１の特徴としている。
また本発明の吊り下げ装飾具の製造方法は、上記第１の特徴に記載の吊り下げ装飾具の製造方法であって、吊り下げ用の装飾錘３０から延長されて吊り下げ線を構成する主線１１に対して、弾性屈曲性のある材料からなる副線２１を用意し、該副線２１を左右一対としてその下端を前記主線１１に沿って下向きに固定する工程と、前記左右一対の副線２１、２１に対してそれぞれ１乃至複数の装飾要素２２を左右同長にして挿通する工程と、前記左右一対の副線２１、２１の上端を前記主線１１に沿って下向きに固定する工程と、前記副線２１が固定される上下固定位置間の直線長さを直径とする半円弧長さよりも前記装飾要素２２が挿通された副線２１の長さの方が長くなるように、副線２１の上下固定位置を定める工程とを有することを第２の特徴としている。
また本発明の吊り下げ装飾具の製造方法は、上記第２の特徴に加えて、左右一対の副線２１、２１の下端を主線１１に固定する工程及び上端を主線１１に固定する工程においては、それぞれ主線１１に挿通された共通の装飾要素１２に対して副線２１の下端、上端を挿通した状態で固定することを第３の特徴としている。
【手続補正３】
【補正対象書類名】明細書
【補正対象項目名】０００７
【補正方法】変更
【補正の内容】
【０００７】
請求項１に記載の吊り下げ装飾具によれば、吊り下げ用の錘となる装飾錘３０と、該装飾錘３０を下端として上方に延長されて設けられた主装飾ライン１０と、該主装飾ライン１０の途中から両側に張り出して設けられたハート形状の副装飾ライン２０とを備え、前記主装飾ライン１０は、前記装飾錘３０を下端として上方へ延長されると共に１乃至複数の装飾要素１２を挿通させた主線１１を吊り下げ線として備え、前記ハート形状の副装飾ライン２０は、１乃至複数の装飾要素２２を挿通させた一対の弾性屈曲性のある副線２１、２１を、該副線２１、２１の各下端を主線１１に沿わせて下向きに固定すると共に副線２１、２１の各上端も主線１１に沿わせて下向きに固定することで、主線１１を軸線１１として左右対称に膨出してなるハート形状に構成してあるので、
装飾錘３０を下端として上方に延長された主装飾ライン１０の他に、副装飾ライン２０を備えた吊り下げ装飾具を提供することができ、吊り下げ装飾に装飾の幅と華やかさをもたらすことができる。
また副装飾ライン２０を主装飾ライン１０の途中から両側に張り出して設けられたハート形状に構成しているので、主線１１に構成される装飾ライン１０と、主線１１から両側に張り出した副装飾ライン２０のハート形状とによって顕著で非常に特徴的なハートデザインを備えた吊り下げ装飾具を提供することができる。
またハート形状はライン状であるので、副装飾ライン（ハート形状の外形ライン）２０と主装飾ライン１０との間が空隙となって、主装飾ライン１０の一部を決して遮ることなく、より光学的な透明感のある、また前記空隙を介して背景が視覚される遠近間のある吊り下げ装飾具を提供することができる。
【手続補正４】
【補正対象書類名】明細書
【補正対象項目名】０００８
【補正方法】変更
【補正の内容】
【０００８】
また請求項１に記載の吊り下げ装飾具によれば、副装飾ライン２０のハート形状は、主線１１を軸線として左右対称に形成されることになるので、
垂下する主線１１に沿った主装飾ライン１０に対して、該主装飾ライン１０をハートの中心軸線としたシンメトリーに優れた副装飾ライン２０を現出させることができる。主線１１がハート形状の中心を通っているので、ハート形状の中心に中心球等の特別な装飾要素を配することが容易にでき、より良好な装飾を施すことができる。
また請求項１に記載の吊り下げ装飾具によれば、前記ハート形状の副装飾ライン２０は、１乃至複数の装飾要素２２を挿通させた一対の弾性屈曲性のある副線２１、２１を、該副線２１、２１の各下端を主線１１に沿わせて下向きに固定すると共に副線２１、２１の各上端も主線１１に沿わせて下向きに固定することで、主線１１を軸線として左右対称に膨出してなるハート形状に構成してあるので、
主線１１とその両側に膨出する一対の副線２１、２１とを、副線の上下２箇所で確実に固定することができ、安定した綺麗な吊り下げ装飾具を提供することができる。また副装飾ライン２０のハート形状を、一対の弾性屈曲性のある副線２１、２１により確実にハート形状に安定させることができると共に、弾性屈曲性のあるハート形状にすることができる。